(57)【要約】【課題】建物内のペット居場所空間の匂いが上部収納空間に達することを抑制する。【解決手段】建物１は、建物居住空間Ａに開口する出入り口１０を有するペット居場所空間１１と、ペット居場所空間１１と仕切られ、ペット居場所空間１１の上に設けられた上部収納空間１２と、を有している。ペット居場所空間１１の側壁面１１ａには、匂い成分の吸着を抑制する化粧板２０が設けられている。ペット居場所空間１１の出入り口１０の外側上方であって建物居住空間Ａの天井面Ａ１には、換気口４１が設けられている。また、ペット居場所空間１１の天井面１１ｂにも化粧板２０が設けられている。【選択図】図２
2013217146.tif 000002
【特許請求の範囲】
【請求項１】
建物居住空間に開口する出入り口を有するペット居場所空間と、
前記ペット居場所空間と仕切られ、前記ペット居場所空間の上に設けられた上部収納空間と、を有し、
前記ペット居場所空間の少なくとも側壁面には、匂い成分の吸着を抑制する化粧板が設けられ、
前記ペット居場所空間の出入り口の外側上方であって前記建物居住空間の天井面には、換気口が設けられている、建物。
【請求項２】
前記ペット居場所空間の天井面に前記化粧板が設けられている、請求項１に記載の建物。
【請求項３】
前記ペット居場所空間の天井面には、他の換気口が設けられている、請求項１又は２に記載の建物。
【請求項４】
前記他の換気口は、前記ペット居場所空間の前記出入り口に対し中央より奥側に設けられている、請求項３に記載の建物。
【請求項５】
前記換気口と前記他の換気口の換気量を制御する制御部をさらに有し、
前記制御部は、前記換気口と前記他の換気口の両方から換気が行われる場合に、前記換気口の換気量を前記他の換気口の換気量よりも少なくする、請求項３又は４に記載の建物。
【発明の詳細な説明】
【技術分野】
【０００１】
本発明は、ペット居場所空間を有する建物に関する。
【背景技術】
【０００２】
従来より、室内で飼育される犬猫等のペットが、睡眠、休憩、食事、排泄等の行為を行うためのペット居場所空間を備えた建物がある（特許文献１参照）。
【先行技術文献】
【特許文献】
【０００３】
【特許文献１】特開２０１０−１０６４８３号公報
【発明の概要】
【発明が解決しようとする課題】
【０００４】
上述のペット居場所空間は、比較的低い高さで足りるため、ペット居場所空間の上に上部収納空間を設け、建物内の空間を有効に用いることが提案できる。
【０００５】
しかしながら、上部収納空間を設ける場合、ペットにより生じた匂いが、ペット居場所空間に付着又は滞留し、その匂いが、隣接する上部収納空間に達し収納物に付着することが考えられる。そうなると、上部収納空間に収納できるものが限られて、使い勝手が悪くなり、収納としての機能が十分に果たせなくなる。
【０００６】
本発明はかかる点に鑑みてなされたものであり、ペット居場所空間の匂いが上部収納空間に達することを抑制できる建物を提供することをその目的とする。
【課題を解決するための手段】
【０００７】
上記目的を達成するための本発明は、建物居住空間に開口する出入り口を有するペット居場所空間と、前記ペット居場所空間と仕切られ、前記ペット居場所空間の上に設けられた上部収納空間と、を有し、前記ペット居場所空間の少なくとも側壁面には、匂い成分の吸着を抑制する化粧板が設けられ、前記ペット居場所空間の出入り口の外側上方であって前記建物居住空間の天井面には、換気口が設けられている建物である。
【０００８】
本発明によれば、ペット居場所空間で生じる匂いが側壁に付着することが抑制される。そして、匂いは、ペット居場所空間の出入り口を通って建物居住空間に排出され、上方の換気口から排気される。この結果、ペット居場所空間の上の上部収納空間に匂いが到達することを抑制できるので、上部収納空間が収納として十分に機能し、ペット居場所空間近傍の空間を有効に活用することができる。
【０００９】
前記ペット居場所空間の天井面にも前記化粧板が設けられていてもよい。かかる場合、ペット居場所空間の天井面に匂いが付着することがより抑制されるので、ペット居場所空間の匂いがより多く排気され、上部収納空間に達することが抑制される。
【００１０】
前記ペット居場所空間の天井面には、他の換気口が設けられていてもよい。かかる場合、ペット居場所空間の匂いが他の換気口からも排気され、上部収納空間に達することがより確実に抑制される。
【００１１】
前記他の換気口は、前記ペット居場所空間の前記出入り口に対し中央より奥側に設けられていてもよい。かかる場合、ペット居場所空間の排気し難い奥側の匂いを他の換気口を用いて排気できるので、上部収納空間への匂いの到達をより確実に抑制できる。
【００１２】
以上で記載した建物は、前記換気口と前記他の換気口の換気量を制御する制御部をさらに有し、前記制御部は、前記換気口と前記他の換気口の両方から換気が行われる場合に、前記換気口の換気量を前記他の換気口の換気量よりも少なくするようにしてもよい。かかる場合、消費電力を低減しつつ、換気を効率的に行うことができる。
【発明の効果】
【００１３】
本発明によれば、ペット居場所空間の匂いが上部収納空間に達することを抑制できるので、上部収納空間が収納として十分に機能し、ペット居場所空間近傍の空間の有効活用が図られる。
【図面の簡単な説明】
【００１４】
【図１】建物の内部を示す説明図である。
【図２】ペット居場所空間と上部収納空間の構成を示す縦断面の説明図である。
【図３】ペット居場所空間の横断面の説明図である。
【図４】ペット居場所空間の天井面に換気口がある場合のペット居場所空間と上部収納空間の構成を示す縦断面の説明図である。
【図５】ペット居場所空間の換気口の位置を示すペット居場所空間の横断面の説明図である。
【発明を実施するための形態】
【００１５】
以下、図面を参照して、本発明の好ましい実施の形態について説明する。図１は、本実施の形態に係る建物１の内部を示す説明図である。なお、本明細書及び図面において、実質的に同一の機能構成を有する構成要素については、同一の符号を付することにより重複説明を省略する。
【００１６】
建物１は、居室や供用スペースの建物居住空間Ａに開口する出入り口１０を有するペット居場所空間１１と、ペット居場所空間１１の上方に設けられた上部収納空間１２を有している。なお、本実施の形態では、ペット居場所空間１１及び上部収納空間１２は、供用スペースの階段Ｂの脇に設けられている。
【００１７】
図２及び図３に示すようにペット居場所空間１１は、出入り口１０の一面が開口する略直方体形状に形成されている。ペット居場所空間１１内の３つの側壁面１１ａと天井面１１ｂには、匂い成分の吸着を抑制する化粧板２０が貼り付けられている。化粧板２０には、匂い成分の吸着性が低い金属、陶質、又は樹脂の板が用いられている。また、化粧板２０は、耐水性と、ペットの爪等により傷つかないような硬質性を有している。化粧板２０には、例えばケイカル板、メラミン化粧板、タイル等のセラミック板などが用いられる。
【００１８】
ペット居場所空間１１と上部収納空間１２は、水平の仕切り板３０によって区切られている。上部収納空間１２は、略直方体形状を有し、例えば中段程度に棚３１が設けられている。また、上部収納空間１２には、開閉自在な扉３２が設けられている。
【００１９】
ペット居場所空間１１の出入り口１０の外側上方であって建物居住空間Ａの天井面Ａ１には、換気ユニット４０の換気口４１が設けられている。換気ユニット４０は、例えば給電により換気扇を稼働させることによって建物居住空間Ａの雰囲気を吸引し外部に排出できる。
【００２０】
かかる建物１では、ペット居場所空間１１において発せられた匂いは、化粧板２０により側壁面１１ａと天井面１１ｂに付着することなく、ペット居場所空間１１内に浮遊する。換気口４１から換気を行うことによって、ペット居場所空間１１の匂いは、上部収納空間１２を迂回するように、出入り口１０から建物居住空間Ａに流出し、その後上昇して換気口４１から排気される。
【００２１】
本実施の形態によれば、ペットが直接接触しペットの匂いが付着しやすい少なくともペット居場所空間１１の側壁面１１ａに化粧板２０が設けられ、ペット居場所空間１１の出入り口１０の外側上方の天井面Ａ１に換気口４１が設けられているので、ペット居場所空間１１で生じる匂いが、ペット居場所空間１１の側壁面１１ａに付着することなく、出入り口１０を通って換気口４１から排気される。この結果、ペット居場所空間１１の上の上部収納空間１２に匂いが達し収納物に付着することを抑制できる。よって、上部収納区間１２が収納として十分に機能し、ペット居場所空間１１近傍の空間を有効に活用できる。
【００２２】
ペット居場所空間１１の天井面１１ｂにも化粧板２０が設けられているので、ペット居場所空間１２の天井面１１ｂに匂いが付着することが抑制され、これにより、上部収納空間１１に匂いが到達することをより確実に抑制できる。
【００２３】
上記実施の形態において、例えば図４、図５に示すようにペット居場所空間１１の天井面１１ｂに他の換気口５０が設けられていてもよい。換気口５０は、例えばペット居場所空間１１の出入り口１０に対し中央より奥側に設けられている。換気口５０は、例えば上記換気ユニット４０とは別の換気扇を駆動する換気ユニット５１に設けられている。例えば換気口５０は、上部収納空間１２内を通るダクト５２によって、換気ユニット４０に連通するダクト５３と連通し、例えば建物１の外部に連通している。例えば建物１には、換気ユニット４０と換気ユニット５１を制御し、換気口４１と換気口５０の換気量を調整可能な制御部６０が設けられている。制御部６０は、換気口４１と換気口５０の両方から換気が行われる場合に、換気口４１の換気量を換気口５０の換気量よりも少なくする。
【００２４】
かかる場合、ペット居場所空間１１の匂いが換気口５０からも排気され、匂いが上部収納空間１２に達することがより確実に抑制される。
【００２５】
また、ペット居場所空間１１内の排気し難い奥側の匂いを換気口５０を用いて排気できるので、上部収納空間１２への匂いの到達をより確実に抑制できる。また、換気口４１からの換気量を小さくして換気ユニット４０の消費電力を低減しつつ、換気を効率的に行うことができる。
【００２６】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００２７】
例えばペット居場所空間１１の床面にも化粧板２０が設けられていてもよい。また、化粧板２０が、ペット居場所空間１１の側壁面１１ａにのみ設けられていてもよい。さらに、ペット居場所空間１１及び上部収納空間１２の構造は、適宜変更してもよい。また、ペット居場所空間１１及び上部収納空間１２は、建物内の別の場所に設置されていてもよい。
【００２８】
また、換気口４１の内外部のいずれかや換気口４１の周辺に、当該換気口４１に流入する臭気や当該換気口４１の下に滞留する臭気に対してマイナスイオンを放射して脱臭するマイナスイオン発生装置等の脱臭装置を設けるようにしてもよい。かかる脱臭装置を設けることにより、より適正に臭気が浄化され、ペット居場所空間１１から建物居住空間Ａに至る空気を清浄に保つことができる。
【産業上の利用可能性】
【００２９】
本発明は、ペット居場所空間の匂いが上部収納空間に達することを抑制する際に有用である。
【符号の説明】
【００３０】
１  建物
１０  出入り口
１１  ペット居場所空間
１１ａ  側壁面
１１ｂ  天井面
１２  上部収納空間
２０  化粧板
４０  換気ユニット
４１  換気口
５０  換気口
５１  換気ユニット
Ａ  建物居住空間
Ａ１  天井面
【図１】
2013217146.tif 000003
【図２】
2013217146.tif 000004
【図３】
2013217146.tif 000005
【図４】
2013217146.tif 000006
【図５】
2013217146.tif 000007